【手続補正書】
【提出日】平成30年5月16日(2018.5.16)
【手続補正１】
【補正対象書類名】特許請求の範囲
【補正対象項目名】全文
【補正方法】変更
【補正の内容】
【特許請求の範囲】
【請求項１】
強い軽量積層体を設計する方法であって、
ａ．基礎材料および前記基礎材料のモノリスの厚さを選択する工程と、
ｂ．中間層材料を選択する工程と、
ｃ．構造「材料／中間層／材料」を有する積層体の剪断伝達係数Γを計算する工程であって、「材料」は前記基礎材料の外層を意味し、２つの外層は同じ厚さを有し、「中間層」は、厚さを有する前記中間層材料の層を意味する工程と、
ｄ．目標減量百分率および目標有効厚さを選択する工程と、
ｅ．図１のグラフを使用して前記モノリスと同じ撓みを有する積層体のために、中間層厚さの外層厚さに対する比を選択する工程と、
ｆ．代わりに図２のグラフを使用して前記モノリスと同じ破損抵抗を有する積層体のために、中間層厚さの外層厚さに対する比を選択する工程と、
ｇ．式２’および３’を使用して前記外層の厚さおよび前記中間層の厚さを計算する工程とを含む、方法。
【請求項２】
強い軽量積層体を設計する方法であって、
ａ．基礎材料および前記基礎材料のモノリスの厚さを選択する工程と、
ｂ．中間層材料を選択する工程と、
ｃ．構造「材料／中間層／材料」を有する積層体の剪断伝達係数Γを計算する工程であって、「材料」は前記基礎材料の外層を意味し、２つの外層は異なった厚さを有し、２つの厚さの比が１．５であり、そして「中間層」は、厚さを有する前記中間層材料の層を意味する工程と、
ｄ．目標減量百分率および目標有効厚さを選択する工程と、
ｅ．図３のグラフを使用して前記モノリスと同じ撓みを有する積層体のために、中間層厚さの外層厚さに対する比を選択する工程と、
ｆ．代わりに、前記モノリスと同じ破損抵抗を有する積層体のために、より厚い外層に加えられる力について図４（ａ）のグラフまたはより薄い外層に加えられる力について図４（ｂ）のグラフを使用して中間層厚さの外層厚さに対する比を選択する工程と、
ｇ．式５’および６’を使用して前記外層の厚さおよび前記中間層の厚さを計算する工程とを含む、方法。
【請求項３】
強い軽量積層体を設計する方法であって、
ａ．基礎材料および前記基礎材料のモノリスの厚さを選択する工程と、
ｂ．中間層材料を選択する工程と、
ｃ．構造「材料／中間層／材料」を有する積層体の剪断伝達係数Γを計算する工程であって、「材料」は基礎材料の外層を意味し、２つの外層は異なった厚さを有し、２つの厚さの比が２であり、そして「中間層」は、厚さを有する前記中間層材料の層を意味する工程と、
ｄ．目標減量百分率および目標有効厚さを選択する工程と、
ｅ．図５のグラフを使用して前記モノリスと同じ撓みを有する積層体のために、中間層厚さの外層厚さに対する比を選択する工程と、
ｆ．代わりに、前記モノリスと同じ破損抵抗を有する積層体のために、より厚い外層に加えられる力について図６（ａ）のグラフまたはより薄い外層に加えられる力について図６（ｂ）のグラフを使用して中間層厚さの外層厚さに対する比を選択する工程と、
ｇ．式５’および６’を使用して前記外層の厚さおよび前記中間層の厚さを計算する工程とを含む、方法。
【手続補正２】
【補正対象書類名】明細書
【補正対象項目名】０１０４
【補正方法】変更
【補正の内容】
【０１０４】
本発明の好ましい実施形態の特定のものが記載されて具体的に上に説明されたが、本発明がこのような実施形態に限定されることを意図するものではない。むしろ、本発明の構造および機能の詳細と一緒に本発明の多数の特性および利点が前述の説明に示されても、開示は例示にすぎず、添付された請求の範囲が表現される用語の広い一般的な意味によって示される最大限の程度まで、本発明の原理の範囲内で特に部分の形状、サイズおよび配列の問題において詳細に変更を加えてもよいことは理解されるはずである。
本発明は以下の実施の態様を含む。
１．強い軽量積層体を設計する方法であって、
ａ．基礎材料および前記基礎材料のモノリスの厚さを選択する工程と、
ｂ．中間層材料を選択する工程と、
ｃ．構造「材料／中間層／材料」を有する積層体の剪断伝達係数Γを計算する工程であって、「材料」は前記基礎材料の外層を意味し、２つの外層は同じ厚さを有し、「中間層」は、厚さを有する前記中間層材料の層を意味する工程と、
ｄ．目標減量百分率および目標有効厚さを選択する工程と、
ｅ．図１のグラフを使用して前記モノリスと同じ撓みを有する積層体のために、中間層厚さの外層厚さに対する比を選択する工程と、
ｆ．代わりに図２のグラフを使用して前記モノリスと同じ破損抵抗を有する積層体のために、中間層厚さの外層厚さに対する比を選択する工程と、
ｇ．式２’および３’を使用して前記外層の厚さおよび前記中間層の厚さを計算する工程とを含む、方法。
２．強い軽量積層体を設計する方法であって、
ａ．基礎材料および前記基礎材料のモノリスの厚さを選択する工程と、
ｂ．中間層材料を選択する工程と、
ｃ．構造「材料／中間層／材料」を有する積層体の剪断伝達係数Γを計算する工程であって、「材料」は前記基礎材料の外層を意味し、２つの外層は異なった厚さを有し、２つの厚さの比が１．５であり、そして「中間層」は、厚さを有する前記中間層材料の層を意味する工程と、
ｄ．目標減量百分率および目標有効厚さを選択する工程と、
ｅ．図３のグラフを使用して前記モノリスと同じ撓みを有する積層体のために、中間層厚さの外層厚さに対する比を選択する工程と、
ｆ．代わりに、前記モノリスと同じ破損抵抗を有する積層体のために、より厚い外層に加えられる力について図４（ａ）のグラフまたはより薄い外層に加えられる力について図４（ｂ）のグラフを使用して中間層厚さの外層厚さに対する比を選択する工程と、
ｇ．式５’および６’を使用して前記外層の厚さおよび前記中間層の厚さを計算する工程とを含む、方法。
３．強い軽量積層体を設計する方法であって、
ａ．基礎材料および前記基礎材料のモノリスの厚さを選択する工程と、
ｂ．中間層材料を選択する工程と、
ｃ．構造「材料／中間層／材料」を有する積層体の剪断伝達係数Γを計算する工程であって、「材料」は基礎材料の外層を意味し、２つの外層は異なった厚さを有し、２つの厚さの比が２であり、そして「中間層」は、厚さを有する前記中間層材料の層を意味する工程と、
ｄ．目標減量百分率および目標有効厚さを選択する工程と、
ｅ．図５のグラフを使用して前記モノリスと同じ撓みを有する積層体のために、中間層厚さの外層厚さに対する比を選択する工程と、
ｆ．代わりに、前記モノリスと同じ破損抵抗を有する積層体のために、より厚い外層に加えられる力について図６（ａ）のグラフまたはより薄い外層に加えられる力について図６（ｂ）のグラフを使用して中間層厚さの外層厚さに対する比を選択する工程と、
ｇ．式５’および６’を使用して前記外層の厚さおよび前記中間層の厚さを計算する工程とを含む、方法。
４．式２’および３’または式５’および６’を使用して前記外層の厚さおよび前記中間層の厚さを計算する工程ｇ．を省いて、
ｈ．前記モノリスの前記厚さと等しい前記積層体の全厚さを設定する工程と、
ｉ．関連グラフにおいて特定されるように、前記外層および前記中間層の相対的な厚さをそれらの比、ｓ、に基づいて計算する工程と、
ｊ．２つの厚さの前記比に基づいて前記外層の厚さを計算する工程とをさらに含む、前記１〜３のいずれかに記載の方法。
５．式（Ａ）を使用して前記基礎材料および前記中間層材料の物理的性質を選択する工程をさらに含む、前記１〜４のいずれかに記載の方法。
６．前記基礎材料が、ガラス、金属、セラミック、コンクリート、鉱物、ポリマー、木材、木材とポリマーとの複合物、布、および鉱物とポリマーとの複合物からなる群から選択される、前記１〜５のいずれかに記載の方法。
７．前記中間層材料が、ガラス、金属、セラミック、コンクリート、鉱物、ポリマー、木材、木材とポリマーとの複合物、布、および鉱物とポリマーとの複合物からなる群から選択される、前記１〜６のいずれかに記載の方法。
８．前記中間層材料が、２００ＭＰａ〜６００ＭＰａの弾性率を有するポリマーであるかまたはポリカーボネート、ポリスチレン、シリコーンエラストマー、エポキシ樹脂、ポリスチレン、ポリ塩化ビニル、ポリウレタン、ポリエチレンホモポリマーおよびエチレンと他のアルケンとのコポリマー、ポリオレフィンブロックエラストマー、エチレン酸コポリマー、エチレン酸コポリマーのイオノマー、ポリ（ビニルアセタール）、およびエチレンと極性コモノマーとのコポリマーからなる群から選択されるポリマーである、前記１〜６のいずれかに記載の方法。
９．前記基礎材料がガラスである、前記１〜６のいずれかに記載の方法。
１０．前記中間層材料が、エチレン酸コポリマー、エチレン酸コポリマーのイオノマー、エチレンと酢酸ビニルとのコポリマー、およびポリ（ビニルブチラール）からなる群から選択されるポリマーである、前記９に記載の方法。
１１．式（１）〜（１２）の１つまたは複数を使用して強い軽量積層体を設計する方法。